【手続補正書】
【提出日】平成18年1月20日(2006.1.20)
【手続補正１】
【補正対象書類名】明細書
【補正対象項目名】特許請求の範囲
【補正方法】変更
【補正の内容】
【特許請求の範囲】
【請求項１】  印刷装置と、前記印刷装置に使用される消耗品の注文を受け付ける消耗品受注処理装置とに接続されて使用される通信装置であって、
ポイントが対応付けられている印刷コンテンツを取得するコンテンツ取得手段と、
前記取得された印刷コンテンツに対応する印刷データを前記印刷装置に出力して印刷させるとともに、当該印刷コンテンツに対応付けられているポイントを累積加算していく印刷制御手段と、
累積加算されたポイントとともに前記消耗品を注文する旨の通知を前記消耗品受注処理装置に送信する発注手段とを備え、
前記消耗品受注処理装置は、前記通信装置から消耗品の注文を受け付けると、当該注文とともに送信されてきたポイントに相当する金額だけ当該消耗品の価格を減額する課金処理を行なう
ことを特徴とする通信装置。
【請求項２】  前記印刷制御手段は、前記印刷装置による印刷の完了を確認した後に、前記ポイントを累積加算する
ことを特徴とする請求項１記載の通信装置。
【請求項３】  前記印刷制御手段は、前記印刷装置に対して、印刷が完了したか否かのポーリングを繰り返すことによって、前記印刷装置による印刷の完了を確認する
ことを特徴とする請求項２記載の通信装置。
【請求項４】  前記印刷制御手段は、印刷が完了した旨の自発的な通知を前記印刷装置から取得することによって、前記印刷装置による印刷の完了を確認することを特徴とする請求項２記載の通信装置。
【請求項５】  前記発注手段は、前記消耗品の残量が一定量以下となる消耗品切れ状態が発生したことを検知した後に、前記送信を行なう
ことを特徴とする請求項１記載の通信装置。
【請求項６】  前記発注手段は、前記印刷装置から消耗品切れ状態が発生した旨の通知を受信することによって、前記消耗品切れ状態の発生を検知する
ことを特徴とする請求項５記載の通信装置。
【請求項７】  前記発注手段は、前記印刷装置から消耗品の残量についての通知を受け取り、その残量と予め保持する一定のしきい値とを比較し、その残量がしきい値以下である場合に、前記消耗品切れ状態が発生したと検知する
ことを特徴とする請求項５記載の通信装置。
【請求項８】  前記発注手段は、前記消耗品切れ状態が発生したことを検知すると、その旨を画面に表示する表示部を有する
ことを特徴とする請求項５記載の通信装置。
【請求項９】  前記発注手段は、前記消耗品切れ状態が発生したことを検知すると、その後に操作者からの発注指示を取得することなく、前記送信を行なう  ことを特徴とする請求項５記載の通信装置。
【請求項１０】  前記発注手段は、操作者からの発注指示を取得した後に、前記送信を行なう
ことを特徴とする請求項１記載の通信装置。
【請求項１１】  前記発注手段は、前記印刷制御手段によって累積加算されたポイントを画面に表示し、そのポイントを利用する旨の指示を操作者から取得した後に、前記送信を行なう
ことを特徴とする請求項１記載の通信装置。
【請求項１２】  前記印刷制御手段は、前記コンテンツ取得手段によって取得された印刷コンテンツに対応付けられているポイントを画面に表示し、その表示に対する操作者からの印刷指示を取得した場合に、当該印刷コンテンツに対応する印刷データを前記印刷装置に出力して印刷させる
ことを特徴とする請求項１記載の通信装置。
【請求項１３】  前記コンテンツ取得手段は、複数の提供元から前記印刷コンテンツを取得し、
前記印刷制御手段は、前記ポイントを前記提供元ごとに累積加算し、
前記発注手段は、前記提供元ごとに累積加算されたポイントの合計値を画面に表示する
ことを特徴とする請求項１１記載の通信装置。
【請求項１４】  前記通信装置は、さらに、前記印刷装置から前記消耗品の使用量を特定するための消耗品情報を取得する消耗品情報取得手段を備え、
前記発注手段は、取得された消耗品情報に関する情報を前記ポイントとともに前記画面に表示する
ことを特徴とする請求項１１記載の通信装置。
【請求項１５】  前記消耗品情報取得手段は、さらに、
前記消耗品情報に加えて、前記消耗品を特定するための前記印刷装置が持つ機器固有情報を取得し、
前記発注手段は、さらに、取得された前記機器固有情報を前記ポイントとともに前記画面に表示する
ことを特徴とする請求項１４記載の通信装置。
【請求項１６】  前記機器固有情報は、前記印刷装置のメーカー名、型番、製造番号及び適合する消耗品の型番のうち、少なくとも１つを含む
ことを特徴とする請求項１５記載の通信装置。
【請求項１７】  前記印刷制御手段は、前記印刷装置による印刷の態様に基づいて、累積加算するポイントの値を調整する
ことを特徴とする請求項１記載の通信装置。
【請求項１８】  前記印刷制御手段は、前記印刷装置による印刷における印刷用紙の枚数、サイズ、片面印刷か両面印刷かの別、１枚の印刷用紙に印刷されるページ数、印刷の品質及びカラー印刷かモノクロ印刷かの別の少なくとも１つの態様に基づいて、累積加算するポイントの値を調整する
ことを特徴とする請求項１記載の通信装置。
【請求項１９】  前記印刷制御手段は、前記印刷装置による印刷が正常に完了しなかった場合には、その印刷が終了するまでに印刷された用紙の枚数に基づいて、前記ポイントを調整した後に累積加算する
ことを特徴とする請求項１記載の通信装置。
【請求項２０】  前記通信装置は、さらに、デジタル放送を受信する放送受信手段を備え、
前記コンテンツ取得手段は、放送受信手段で受信されたデジタル放送に含まれるリンク情報に基づいて、印刷コンテンツを保有するコンテンツ提供装置から伝送路を介して前記印刷コンテンツを取得する
ことを特徴とする請求項１記載の通信装置。
【請求項２１】  前記通信装置は、さらに、デジタル放送を受信する放送受信手段を備え、
前記コンテンツ取得手段は、放送受信手段で受信されたデジタル放送自体から前記印刷コンテンツを取得する
ことを特徴とする請求項１記載の通信装置。
【請求項２２】  コンテンツ提供装置と印刷装置とに接続されて使用される通信装置であって、
前記印刷装置による印刷に使用される消耗品の購入価格を減額させるのに使用されるポイントが対応付けられている印刷コンテンツを前記コンテンツ提供装置から受信する受信手段と、
受信された印刷コンテンツに対応する印刷データを前記印刷装置に出力して印刷させるとともに、当該印刷コンテンツに対応付けられているポイントを累積加算していく印刷制御手段と、
累積加算されたポイントとともに前記消耗品を購入する旨の通知を前記コンテンツ提供装置に送信する発注手段と
を備えることを特徴とする通信装置。
【請求項２３】  印刷装置と、前記印刷装置に使用される消耗品の注文を受け付ける消耗品受注処理装置とに接続されて使用される通信装置のためのプログラムであって、
請求項１〜２２のいずれか１項に記載された通信装置が備える手段としてコンピュータに機能させる
ことを特徴とするプログラム。
【請求項２４】  印刷装置と、前記印刷装置を対象とするサービスを受け付けるサービス処理装置とに接続されて使用される通信装置であって、
利用者を特定する情報を取得する利用者情報取得手段と、
前記利用者を特定する情報とともに前記サービスを受ける旨の通知を前記サービス処理装置に送信するサービス発信手段と
を備えることを特徴とする通信装置。
【請求項２５】  前記印刷装置を対象とするサービスは、前記印刷装置で使用されている消耗品の残量警告情報と前記印刷装置が待つ機器固有情報とを受信して前記消耗品をオンライン発注することである
ことを特徴とする請求項２４記載の通信装置。
【請求項２６】  前記印刷装置を対象とするサービスは、前記印刷装置の使用状況の情報と前記印刷装置が待つ機器固有情報とを受信して前記印刷装置の状況把握とメンテナンスを行なうことである
ことを特徴とする請求項２４記載の通信装置。
【請求項２７】  前記印刷装置が持つ機器固有情報は、前記印刷装置のメーカー名、型番、製造番号及び適合する消耗品の型番のうち、少なくとも１つを含むことを特徴とする請求項２５又は２６記載の通信装置。
【請求項２８】  前記サービス発信手段は、前記サービスを受ける旨を前記サービス処理装置に一度送信した場合は、同一の消耗品に関して、一旦消耗品の残量が増加して残量警告レベルを超え、再度残量が警告レベルを下回った場合に限り、次のサービスを受ける旨を前記サービス処理装置に送信する
ことを特徴とする請求項２５又は２６記載の通信装置。
【請求項２９】  前記サービス発信手段は、前記サービスを受ける旨を前記サービス処理装置に送信する際、当該通信装置が電源をオフにする時に、前記印刷装置から受信した消耗品の残量情報を不揮発メモリに格納し、当該通信装置が再度電源オンする時に、前記不揮発メモリに格納していた消耗品の残量情報と改めて前記印刷装置から受信する消耗品の残量情報とを用いて、前記サービスを受ける旨を前記サービス処理装置に送信するか否かを判断する
ことを特徴とする請求項２５又は２６記載の通信装置。
【請求項３０】  前記利用者を特定する情報とは、当該通信装置に装着されたＩＣカードに記憶された当該ＩＣカードに固有の識別情報である
ことを特徴とする請求項２４記載の通信装置。
【請求項３１】  印刷装置に接続される通信装置であって、
前記印刷装置から送信されてくる応答情報を受信する受信手段と、
受信した前記応答情報に基づいて、前記印刷装置に関する情報を表示出力する表示出力手段と
を備えることを特徴とする通信装置。
【請求項３２】  前記応答情報は、
イベントの種別を示すフィールドと、前記検知手段により検知したイベントに関するメッセージの文字コードの種類を示すフィールドと、前記メッセージの長さを示すフィールドと、前記メッセージを格納する可変長のフィールドとを有することを特徴とする請求項３１記載の通信装置。
【請求項３３】  前記表示出力手段は、
前記応答情報の前記イベントの種別を示すフィールドと前記文字コードの種類を示すフィールドに基づいて、前記メッセージの表示を行なう
ことを特徴とする請求項３１記載の通信装置。
【請求項３４】  印刷装置と、前記印刷装置を対象とするサービスを受け付けるサービス処理装置とに接続されて使用される通信装置のためのプログラムであって、
請求項２４〜３３のいずれか１項に記載された通信装置が備える手段としてコンピュータに機能させる
ことを特徴とするプログラム。
【請求項３５】  コンテンツ出力装置から送られてくる、印刷コンテンツに対応する印刷データを受信し、印刷する印刷手段と、
前記印刷手段による印刷に使用された消耗品の使用量を特定するための消耗品情報を生成する消耗品情報生成手段と、
生成された消耗品情報を前記コンテンツ出力装置に送信する送信手段とを備え、  前記コンテンツ出力装置は、前記送信手段から送信されてきた消耗品情報に基づいて、前記消耗品の発注処理を行なう
ことを特徴とする印刷装置。
【請求項３６】  前記消耗品情報生成手段は、さらに、
前記消耗品を特定するための前記印刷装置が持つ機器固有情報を取得し、
前記送信手段は、前記消耗品情報と共に前記機器固有情報を送信し、
前記コンテンツ出力装置は、前記消耗品情報及び前記機器固有情報基づいて前記発注処理を行なう
ことを特徴とする請求項３５記載の印刷装置。
【請求項３７】  前記機器固有情報は、
前記印刷装置のメーカー名、型番、製造番号及び適合する消耗品の型番のうち、少なくとも１つを含む
ことを特徴とする請求項３６記載の印刷装置。
【請求項３８】  前記消耗品情報には、消耗品の残量を示す情報が含まれる
ことを特徴とする請求項３６記載の印刷装置。
【請求項３９】  前記消耗品情報には、消耗品の残量が一定量以下となる消耗品切れ状態が発生したか否かを示す情報が含まれる
ことを特徴とする請求項３６記載の印刷装置。
【請求項４０】  前記印刷装置は、さらに、前記印刷手段による印刷が完了したことを検出する印刷完了検出手段を備え、
前記送信手段は、さらに、前記印刷完了検出手段によって印刷の完了が検出された場合に、その旨を前記コンテンツ出力装置に送信し、
前記コンテンツ出力装置は、前記送信手段から送信されてきた印刷完了の通知に基づいて、前記消耗品の購入価格の減額に用いられるポイントの累積加算を行うことを特徴とする請求項３６記載の印刷装置。
【請求項４１】  前記印刷手段は、前記印刷コンテンツに対応する印刷データとともに、前記消耗品の購入価格を減額させるのに使用されるポイントを受信し、
前記印刷装置は、さらに、
前記印刷データが前記印刷手段によって印刷された場合に、当該印刷コンテンツに対応付けられているポイントを累積加算して保持するポイント蓄積手段と、  前記ポイント蓄積手段に保持されたポイントを前記コンテンツ出力装置に送信するポイント出力手段とを備える
ことを特徴とする請求項３６記載の印刷装置。
【請求項４２】  前記印刷装置は、さらに、当該印刷装置を特定するための機器固有情報を記憶する記憶手段を備え、
前記送信手段は、前記記憶手段に記憶された機器固有情報を前記消耗品情報とともに前記コンテンツ出力装置に送信し、
前記消耗品情報及び前記機器固有情報は、データ放送用のマークアップ言語で記述され、
前記コンテンツ出力装置は、デジタル放送受信機であり、前記送信手段から送信されてきた消耗品情報及び機器固有情報を解釈し、画面に表示出力する
ことを特徴とする請求項３６記載の印刷装置。
【請求項４３】  前記印刷装置は、さらに、当該印刷装置の保守に役立つメンテナンス情報を生成するメンテナンス情報生成手段を備え、
前記送信手段は、さらに、前記メンテナンス情報生成手段によって生成されたメンテナンス情報を前記コンテンツ出力装置に送信し、
前記コンテンツ出力装置は、前記送信手段から送信されてきたメンテナンス情報を当該印刷装置のメンテナンスを行なう者に通知する
ことを特徴とする請求項３６記載の印刷装置。
【請求項４４】  前記メンテナンス情報には、当該印刷装置が使用されてからの通電時間、印刷ヘッドの移動距離、印刷用紙の使用枚数の少なくとも１つを示す可動履歴情報が含まれる
ことを特徴とする請求項４３記載の印刷装置。
【請求項４５】  前記メンテナンス情報には、当該印刷装置で過去に発生したエラー動作の発生日時、エラー動作の種別及びその種別ごとの回数の少なくとも１つを示すエラー情報が含まれる
ことを特徴とする請求項４３記載の印刷装置。
【請求項４６】  前記印刷装置は、さらに、当該印刷装置を特定するための機器固有情報を記憶する記憶手段を備え、
前記送信手段は、前記記憶手段に記憶された機器固有情報を前記メンテナンス情報とともに前記コンテンツ出力装置に送信する
ことを特徴とする請求項４３記載の印刷装置。
【請求項４７】  前記消耗品情報、メンテナンス情報及び前記機器固有情報は、データ放送用のマークアップ言語で記述され、
前記コンテンツ出力装置は、デジタル放送受信機であり、前記送信手段から送信されてきた消耗品情報、メンテナンス情報及び機器固有情報を解釈し、画面に表示出力する
ことを特徴とする請求項４６記載の印刷装置。
【請求項４８】  前記印刷装置は、さらに、当該印刷装置を特定するための機器固有情報を記憶する記憶手段を備え、
前記送信手段は、前記記憶手段に記憶された機器固有情報を前記消耗品情報とともに前記コンテンツ出力装置に送信する
ことを特徴とする請求項３５記載の印刷装置。
【請求項４９】  コンテンツ出力装置から送られてくる、印刷コンテンツに対応する印刷データを受信し、印刷する印刷手段と、
前記印刷手段による印刷で使用される各部位の保守に役立つメンテナンス情報を生成するメンテナンス情報生成手段と、
前記生成されたメンテナンス情報を前記コンテンツ出力装置に送信する送信手段とを備え、
前記コンテンツ出力装置は、前記送信手段から送信されてきたメンテナンス情報を当該印刷装置のメンテナンスを行なう者に通知する
ことを特徴とする印刷装置。
【請求項５０】  前記メンテナンス情報には、当該印刷装置が使用されてからの通電時間、印刷ヘッドの移動距離、印刷用紙の使用枚数の少なくとも１つを示す可動履歴情報が含まれる
ことを特徴とする請求項４９記載の印刷装置。
【請求項５１】  前記メンテナンス情報には、当該印刷装置で過去に発生したエラー動作の発生日時、エラー動作の種別及びその種別ごとの回数の少なくとも１つを示すエラー情報が含まれる
ことを特徴とする請求項４９記載の印刷装置。
【請求項５２】  前記メンテナンス情報には、当該印刷装置で使用されているファームウェアのバージョン情報の少なくとも１つ以上を示す情報が含まれる
ことを特徴とする請求項４９記載の印刷装置。
【請求項５３】  前記印刷装置は、さらに、当該印刷装置を特定するための機器固有情報を記憶する記憶手段を備え、
前記送信手段は、前記記憶手段に記憶された機器固有情報を前記メンテナンス情報とともに前記コンテンツ出力装置に送信する
ことを特徴とする請求項４９記載の印刷装置。
【請求項５４】  前記機器固有情報は、
前記印刷装置のメーカー名、型番、製造番号及び適合する消耗品の型番のうち、少なくとも１つを含む
ことを特徴とする請求項５３記載の印刷装置。
【請求項５５】  前記メンテナンス情報および前記機器固有情報は、データ放送用のマークアップ言語で記述され、
前記コンテンツ出力装置は、デジタル放送受信機であり、前記送信手段から送信されてきたメンテナンス情報および機器固有情報を解釈し、画面に表示出力することを特徴とする請求項５３記載の印刷装置。
【請求項５６】  コンテンツ出力装置から送られてくる、印刷コンテンツに対応する印刷データを受信し、印刷する印刷手段と、
前記印刷手段による印刷で使用された各部位の状態を特定するのに役立つサービス情報を生成するサービス情報生成手段と、
前記印刷手段を含む機器固有の情報を記憶している機器固有情報保存手段と、  生成された前記サービス情報と前記機器固有情報保存手段から取り出した機器固有情報とを前記コンテンツ出力装置に送信する送信手段とを備え、
前記コンテンツ出力装置は、デジタル放送受信機であり、前記送信手段から送信されてきたサービス情報と機器固有情報とに基づいて、前記サービスの処理依頼を行なう
ことを特徴とする印刷装置。
【請求項５７】  前記サービス情報は、前記印刷装置で使用されている消耗品の残量警告情報である
ことを特徴とする請求項５６記載の印刷装置。
【請求項５８】  前記サービス情報は、前記印刷装置の使用状況を示す情報である
ことを特徴とする請求項５６記載の印刷装置。
【請求項５９】  前記機器固有情報は、前記印刷装置のメーカー名、型番、製造番号及び適合する消耗品の型番のうち、少なくとも１つを含む
ことを特徴とする請求項５６記載の印刷装置。
【請求項６０】  前記サービス情報は、当該印刷装置で使用されているファームウェアのバージョン情報である
ことを特徴とする請求項５６記載の印刷装置。
【請求項６１】  前記ファームウェアのバージョン情報は、当該印刷装置で使用されているファームウェアを構成するそれぞれの実行ファイル毎のバージョン情報を示す
ことを特徴とする請求項６０記載の印刷装置。
【請求項６２】  前記ファームウェアのバージョン情報は、当該印刷装置で使用されているファームウェアを実現する複数のマイコン毎のバージョン情報を示す
ことを特徴とする請求項６０記載の印刷装置。
【請求項６３】  コンテンツ出力装置から送られてくる、印刷コンテンツに対応する印刷データを受信し、印刷する印刷手段と、
前記印刷手段における印刷に関する各部位の状態を検知する検知手段と、
前記検知手段により検知した部位に対する処置に役立つサ―ビス情報を生成するサービス情報生成手段と、
前記コンテンツ出力装置へ応答する為に、前記サービス情報生成手段から生成された情報に基づいて応答情報を生成する応答情報生成手段と、
前記応答情報を前記コンテンツ出力装置に送信する送信手段とを備え、
前記コンテンツ出力装置は、デジタル放送受信機であり、前記送信手段から送信されてきた応答情報に基づいて、画面に前記印刷手段に係る機器情報を表示出力する
ことを特徴とする印刷装置。
【請求項６４】  前記応答情報は、少なくとも前記検知手段により検知したイベントの種別を示すフィールドと、前記検知手段により検知したイベントに関するメッセージの文字コードの種類を示すフィールドと、前記メッセージの長さを示すフィールドと、前記メッセージを格納する可変長のフィールドとを有する
ことを特徴とする請求項６３記載の印刷装置。
【請求項６５】  コンテンツ出力装置から送られてくる、印刷コンテンツに対応する印刷データを印刷出力する印刷装置のためのプログラムであって、
請求項３５〜６４のいずれか１項に記載の印刷装置が備える手段としてコンピュータを機能させる
ことを特徴とするプログラム。
【請求項６６】  印刷装置に印刷コンテンツに対応する印刷データを出力する通信装置と伝送路を介して接続され、前記通信装置から前記印刷装置に使用される消耗品の注文を受け付ける消耗品受注処理装置であって、
前記通信装置は、
ポイントが対応付けられている印刷コンテンツを取得するコンテンツ取得手段と、
取得された印刷コンテンツに対応する印刷データを前記印刷装置に出力して印刷させるとともに、当該印刷コンテンツに対応付けられているポイントを累積加算していく印刷制御手段と、
累積加算されたポイントとともに前記消耗品を注文する旨の通知を前記消耗品受注処理装置に送信する発注手段とを備え、
前記消耗品受注処理装置は、
前記通信装置から前記ポイントとともに前記消耗品の注文を受け取る受注手段と、
受け取ったポイントに相当する金額だけ前記消耗品の購入価格を減額する課金処理を行なう課金手段とを備える
ことを特徴とする消耗品受注処理装置。
【請求項６７】  前記コンテンツ取得手段は、印刷コンテンツを保有するコンテンツ提供装置から伝送路を介して前記印刷コンテンツを取得し、
前記課金処理手段は、前記コンテンツ提供装置に対して、前記ポイントに相当する金額の負担を求める旨の通知をする
ことを特徴とする請求項６６記載の消耗品受注処理装置。
【請求項６８】  前記課金処理手段は、前記コンテンツ提供装置に前記負担を求める旨の通知をするとともに、前記消耗品を提供している者に対して、当該消耗品を発注する
ことを特徴とする請求項６７記載の消耗品受注処理装置。
【請求項６９】  印刷装置に印刷コンテンツに対応する印刷データを出力する通信装置と伝送路を介して接続され、前記通信装置から前記印刷装置に使用される消耗品の注文を受け付ける消耗品受注処理装置のためのプログラムであって、  請求項６６〜６８のいずれか１項に記載の消耗品受注処理装置が備える手段としてコンピュータを機能させる
ことを特徴とするプログラム。
【請求項７０】  印刷装置と、印刷装置に印刷コンテンツに対応する印刷データを出力する通信装置と、前記印刷装置に使用される消耗品の注文を受け付ける消耗品受注処理装置とから構成される通信システムであって、
前記通信装置は、
ポイントが対応付けられている印刷コンテンツを取得するコンテンツ取得手段と、
取得された印刷コンテンツに対応する印刷データを前記印刷装置に出力して印刷させるとともに、当該印刷コンテンツに対応付けられているポイントを累積加算していく印刷制御手段と、
累積加算されたポイントとともに前記消耗品を注文する旨の通知を前記消耗品受注処理装置に送信する発注手段とを備え、
前記消耗品受注処理装置は、
前記通信装置から前記ポイントとともに前記消耗品の注文を受け取る受注手段と、
受け取ったポイントに相当する金額だけ前記消耗品の購入価格を減額する課金処理を行なう課金手段とを備える
ことを特徴とする通信システム。
【請求項７１】  印刷装置に接続される画像処理装置であって、
前記印刷装置から送信されてくる当該印刷装置に関するイベントを示す情報と前記イベントに関する文字の情報とを受信する受信手段と、
受信した前記イベントを示す情報および前記文字の情報の少なくとも一の情報をユーザに提示する出力手段と
を備えることを特徴とする画像処理装置。
【請求項７２】  前記出力手段は、
受信した前記イベントを示す情報および前記文字の情報の少なくとも一の情報を画面に出力表示する
ことを特徴とする請求項７１記載の画像処理装置。
【請求項７３】  前記文字の情報は、ユーザに提示するだけで目的を果たせる情報である
ことを特徴とする請求項７２記載の画像処理装置。
【請求項７４】  前記文字の情報は、プリンタの機種に依存する情報である
ことを特徴とする請求項７２記載の画像処理装置。
【請求項７５】  前記文字の情報は、交換するインクの色情報を含む
ことを特徴とする請求項７２記載の画像処理装置。
【請求項７６】  画像処理装置に接続される印刷装置であって、
当該印刷装置に関するイベントを示す情報と前記イベントに関する文字の情報とを前記画像処理装置に送信する送信手段
を備えることを特徴とする印刷装置。
【請求項７７】  前記文字の情報は、ユーザに提示するだけで目的を果たせる情報である
ことを特徴とする請求項７６記載の印刷装置。
【請求項７８】  前記文字の情報は、プリンタの機種に依存する情報である
ことを特徴とする請求項７６記載の印刷装置。
【請求項７９】  前記文字の情報は、交換するインクの色情報を含む
ことを特徴とする請求項７６記載の印刷装置。
【請求項８０】  印刷装置から送信されてくる当該印刷装置に関するイベントを示す情報と前記イベントに関する文字の情報とを受信し、
受信した前記イベントを示す情報および前記文字の情報の少なくとも一の情報を画面に出力表示する
ことを特徴とする画像処理方法。